(57)【要約】【課題】便利に茶葉を更新でき、茶葉がお湯に完全に浸される容器の構造を提供する。【解決手段】一つの本体１と、一つの底蓋３と、一つの仕切容器とを少なくとも含む。本体１は、一つの収容空間を有し、少なくとも一端には開口１３が一つ設けてあり、開口１３が底蓋３と螺合している。底蓋３は、内面に仕切容器を固定するための固定ユニット３１が設けてあり、内壁面には内ねじが設けてあり、固定ユニット３１と底蓋３の内壁面との間には軟性素材で作製されて水止め効果を持つ水止め素子３７が設けてある。仕切容器は、内部により小さい空間を有し、一端に接合部３４が設けてあり、接合部３４が底蓋３にある固定ユニット３１と接合して定位される。お茶など入れ用容器の構造は、茶葉を更新するときに、底蓋３を取外すだけで、仕切容器も一緒に取外される。【選択図】図２
2007112470.tif 000002
【特許請求の範囲】
【請求項１】
一つの本体と、一つの底蓋と、一つの仕切容器とを少なくとも含む容器の構造において、
前記本体は一つの収容空間を有し、少なくとも一端には開口が一つ設けてあり、前記開口が底蓋と螺合し、
前記底蓋は内面に前記仕切容器を固定するための固定ユニットが設けてあり、内壁面には内ねじが設けてあり、前記固定ユニットと底蓋の内壁面との間には軟性素材で作製されて水止め効果を持つ水止め素子が設けてあり、
前記仕切容器は内部により小さい空間を有し、一端に接合部が設けてあり、前記接合部が底蓋にある固定ユニットと接合して定位されることを特徴とする容器の構造。
【請求項２】
前記固定ユニットは、底蓋の中央に設けられたＴ型突起であり、前記Ｔ型突起の上面の中央には突起が一つ設けてあり、前記仕切容器の接合部もＴ型を呈し、前記接合部の底面の中央には窪みが一つ設けてあることを特徴とする請求項１に記載の容器の構造。
【請求項３】
前記固定ユニットは、底蓋の中央に設けられた螺旋付き環状突起であり、前記仕切容器の接合部も螺旋付き環状突起であることを特徴とする請求項１に記載の容器の構造。
【請求項４】
前記仕切容器は、一つの金属網と、多数の支持ロッドとから構成されたものであり、一端に外ねじを有する接合部が設けてあり、前記接合部は底蓋の内ねじを有する固定ユニットと螺合し、他端に開口が設けてあり、前記開口の外縁には四つの欠け口が等距離で開設された突出リングが設けてあり、外縁に四つの突出ブロックを有する蓋体が前記開口に合い、前記蓋体は一つの金属網と多数の支持ロッドとから構成されたものであり、前記仕切容器が蓋体に係止されるために、前記蓋体は仕切容器にある四つの欠け口に嵌め込まれた後、前記仕切容器を左又は右へ旋回することを特徴とする請求項３に記載の容器の構造。
【請求項５】
前記仕切容器は、一つの開口を有し、外ねじを持つ接合部が前記開口の外縁に設けられ、内ねじを持つ前記固定ユニットが底蓋に設けてあり、前記仕切容器は固定ユニットの接合部と螺合して接合することを特徴とする請求項１に記載の容器の構造。
【請求項６】
前記底蓋の内壁面と固定ユニットとの間には、水止め素子が一つ設けてあり、前記水止め素子はＯリングであり、前記本体に圧迫されることを特徴とする請求項４に記載の容器の構造。
【発明の詳細な説明】
【技術分野】
【０００１】
本発明は、お茶など入れ用容器の構造に係り、特に、お湯と仕切られた茶葉やコーヒー粉末とを入れられる開口を持つ容器の構造に関するものである。
【背景技術】
【０００２】
図１３と図１４に示すのは、従来のお茶入れ用容器であり、前記容器は一つの収容空間７２を持つ本体７１を有し、前記収容空間７２の上方には濾過コップ７３を装入できる開口を有し、茶葉Ｃが前記濾過コップ７３内に入れられ、なお、前記本体７１には収容空間７２に被る蓋体７４が設けてある。
【０００３】
従来のお茶入れ用容器を使用する際には、茶葉Ｃを前記濾過コップ７３内に入れて、お湯を収容空間７２に注いだ後、本体７１の開口に蓋体７４を被せる。そうすると、前記収容空間７２内に収容された茶葉Ｃが徐々に展開してお茶になる。
もう一種類の従来のお茶入れ用容器は、図１５と図１６に示すように、両端に第一開口８１と第二開口８２とが設けてあり、且つ上蓋８３と下蓋８４とが第一開口８１と第二開口８２とにそれぞれ被せられる。
【０００４】
前記お茶入れ用容器の第二開口８２には脱着自在な濾過コップ８５が設置してあり、茶葉が前記濾過コップ８５内に制限され、なお、前記濾過コップ８５の底端には下向きのコップ開口８６が設けてあり、前記コップ開口８６の位置を第二開口８２と一致させ、前記コップ開口８６の周縁の直径は第二開口８２の止め部８７よりも大きく、そうすると、前記濾過コップ８５が固定される。
【発明の開示】
【発明が解決しようとする課題】
【０００５】
しかしながら、これは次のような欠点がある。
（イ）お茶入れ用容器の濾過コップ７３が収容空間７２の上方に設置されているため、お湯を注ぐ際には、お湯の液面は濾過コップ７３内の茶葉Ｃの高さを超えることが必要であり、そうしないと、茶葉Ｃがお湯の中で徐々に展開することができず、したがって、使用者が一部のお茶を飲むと、茶葉Ｃがお湯に浸されなくなる。
【０００６】
（ロ）本体７１内の濾過コップ７３の開口の方向は本体７１の開口と一致しており、ユーザがお茶を飲む際に、茶葉Ｃがユーザの口に入ることがよくある。
（ハ）茶葉を更新するときに、まず、第二開口８２を上に向けることが必要であり、下蓋８４を開けた後、濾過コップ８５を始めて取り出すことができるようになり、且つ濾過コップ８５を取り出している際に、濾過コップ８５内に残留するお茶が地面に滴下することがよくある。
【０００７】
（二）濾過コップ８５の外縁には水止め用シリコンスリーブ８８が設けてあり、前記水止め用シリコンスリーブ８８が止め部８７の外縁に嵌められているので、製造が難しくなり、生産コストが向上する。
本発明の主な目的は、茶葉を更新するときに、底蓋を取外すだけで、仕切容器も一緒に取外され、仕切容器内に残留するお茶は底蓋に滴下し、地面に滴下することがなく、且つ仕切容器が収容空間の下方に位置するので、茶葉の高さがお湯の液面よりも低く、茶葉がお湯に完全に浸され、且つ茶葉はユーザの口に入らなくなる容器の構造を提供することにある。
【課題を解決するための手段】
【０００８】
上記目的を達成するためになされた本発明は、一つの本体と、一つの底蓋と、一つの仕切容器とを少なくとも含むお茶など入れ用容器の構造において、前記本体は一つの収容空間を有し、少なくとも一端には開口が一つ設けてあり、前記開口が底蓋と螺合し、前記底蓋は内面に前記仕切容器を固定するための固定ユニットが設けてあり、内壁面に内ねじが設けてあり、前記固定ユニットと底蓋の内壁面との間には軟性素材で作製されて水止め効果を持つ水止め素子が設けてあり、前記仕切容器は内部により小さい空間を有し、一端に接合部が設けてあり、前記接合部が底蓋にある固定ユニットと接合して定位されることを特徴とするお茶など入れ用容器の構造であることを要旨としている。
【０００９】
本発明に係るお茶など入れ用容器の構造によれば、茶葉を更新するときに、底蓋を取外すだけで、仕切容器も一緒に取外され、なお、仕切容器内に残留するお茶は底蓋に滴下し、地面に滴下することがなく、且つ仕切容器が収容空間の下方に位置するので、茶葉の高さがお湯の液面よりも低く、茶葉がお湯に完全に浸され、且つ茶葉はユーザの口に入らなくなる。
【発明を実施するための最良の形態】
【００１０】
以下、添付図面を参照して本発明の好適な実施の形態を詳細に説明する。
まず、図１から図１２に示すのは、本発明に係る三種類の実施例であり、これらは、本発明を説明するために挙げた例であり、特許請求範囲を限定するためのものではない。
本発明に係る実施例１は、図１から図５に示すように、円筒形状の本体１を有し、なお、前記本体１には収容空間１１が設けてあり、前記収容空間１１の両端に第一開口１２と第二開口１３とがそれぞれ設けてあり、前記第一開口１２が本体１の上端に位置し、前記第二開口１３が本体１の底端に位置する。また、前記第一開口１２と前記第二開口１３の外縁には第一外ねじ段１２１と第二外ねじ段１３１とがそれぞれ設けてあり、内ねじを持つ上蓋２と底蓋３とが前記第一開口１２と前記第二開口１３とにそれぞれ螺合し、そうすると、収容空間１１が密封される。
【００１１】
本実施例では、前記固定ユニット３１は底蓋３の中央に設けられたＴ型突起であり、前記Ｔ型突起の上面の中央には突起３２が一つ設けてあり、前記固定ユニット３１は仕切容器３３を固定するためのものであり、本実施例では、前記仕切容器３３はボール形状の濾過コップであり、なお、前記仕切容器３３の接合部３４もＴ型を呈し、前記接合部３４の底面の中央には窪み３５が一つ設けてあり、前記仕切容器３３を前記底蓋３の突起３２で摺動すると、両者が相互に係止する。
【００１２】
前記仕切容器３３は、従来の金属網製の濾過コップであり、上半部３３１と下半部３３２とに分けられ、前記上半部３３１と下半部３３２との対応する箇所には枢着軸３３３が設けてあり、前記枢着軸３３３により前記上半部３３１と下半部３３２とが枢着され、前記上半部３３１と下半部３３２との枢着軸３３３の反対側には上凸部３３４と下凸部３３５とがそれぞれ設けてあり、且つ前記上凸部３３４の長さは下凸部３３５よりも長く、且つ前記上凸部３３４の末端には固定リング３３６が設けてあり、茶葉Ａを充填しようとする場合には、前記固定リング３３６を上凸部３３４の末端へ圧縮すると、仕切容器３３を開けることができ、茶葉Ａを充填した後、前記固定リング３３６を放すと、前記固定リング３３６が上凸部３３４と下凸部３３５とを同時に拘束し、ボール形状の仕切容器３３が閉鎖される。
【００１３】
本実施例に係る固定ユニットは底蓋の中央に設置されているので、水止めの設計は出願者の前の設計である図１５と図１６よりも構造が簡単である。本実施例では、前記底蓋３には環状突起３６が設けてあり、前記環状突起３６の外縁と底蓋３の外縁との間にはシリコン製のシート式の水止め素子３７が設けてあり、前記水止め素子３７により底蓋３が本体１の第二外ねじ段１３１に螺着されるときに、お茶が収容空間１１内に密封され、且つお茶が漏れて前記第二外ねじ段１３１にお茶の垢を残すことを防止することもでき、且つ前記本体１と底蓋３との密封度が向上し、製造がより容易になり、生産コストが低減する。
図５に示すように、平常時には、前記仕切容器３３が収容空間１１の下方に位置し、お湯を注ぐと、茶葉Ａがお湯に完全に浸され、ユーザが一部のお茶を飲んでも、茶葉Ａは依然としてお湯に浸される。
【００１４】
また、図６から図９に示すのは、本発明に係る実施例２である。
実施例２の本体４の収容空間４１は一端だけ一つの開口４２を有し、前記開口４２は本体４の縦軸にあり、前記本体４の他端が密封され、前記開口４２の外縁には外ねじ段４２１が設けてあり、内ねじを持つ底蓋５が前記開口４２に螺合すると、収容空間４１が閉鎖される。
【００１５】
実施例１と異なる点は、実施例２に係る固定ユニットが底蓋５の中心から上に突出して内ねじを持つ環状突起５１である。
本実施例では、仕切容器６は円筒形状の濾過コップを採用し、前記仕切容器６は一つの金属網６５と多数の支持ロッド６６とから構成されたものであり、一端に外ねじを有する接合部６１が設けてあり、前記接合部６１は底蓋５の内ねじを有する固定ユニット５１と螺合し、他端に開口６２が設けてあり、前記開口６２の外縁には四つの欠け口６３１が等距離で開設された突出リング６３が設けてあり、外縁に四つの突出ブロック６４１を有する蓋体６４が前記開口６２に合い、前記蓋体６４は一つの金属網と多数の支持ロッドとから構成されたものであり、前記仕切容器６が蓋体６４に係止されるために、前記蓋体６４が仕切容器６にある四つの欠け口６３１に嵌め込まれた後、前記仕切容器６を左又は右へ旋回させ、そうすると、茶葉Ｂが前記仕切容器６内に制限される。
【００１６】
もちろん、前記底蓋５の中心にある固定ユニット５１の外縁と底蓋５の外壁面との間に水止め素子５２が一つ設けてあり、前記水止め素子５２により底蓋５を本体４に螺合する時に、お茶が収容空間４１内に密封され、本体４と底蓋５との密封度も良くなる。
また、底蓋５にある固定ユニット５１は外ねじを持ってもよく、なお、仕切容器６の接合部６１は内ねじを持ってもよい。
もちろん、上記の実施例は、実施例１が単一の開口を持つ本体であってもよく、なお、実施例２は二つの開口を持つ本体であってもよく、本体の開口の数量は限定されない。
【００１７】
図１０から図１２に示すのは、本発明の実施例３である。
本実施例に係る本体９は、実施例２と同じように一つの開口９８を有し、底蓋９４が前記開口９８と螺合して密封する。
実施例２と異なる点は、本実施例に係る仕切容器９１は一つの開口９２を有し、前記開口９２の外縁には外ねじを持つ接合部９３が設けてあり、前記接合部９３は底蓋９４の固定ユニット９５と螺合し、本実施例に係る固定ユニット９５は実施例２に係る固定ユニット５１と同じように内ねじ９５１を有し、且つ本実施例に係る固定ユニット９５の内径は実施例２に係る固定ユニット５１の内径よりも大きい。
【００１８】
したがって、仕切容器９１の接合部９３を固定ユニット９５と結合した後、外ねじ９６を持つ本体９の開口９８に両者を一緒にねじ込み、且つ底蓋９４の内壁面と固定ユニット９５との間には水止め素子９９が設けてあり、前記水止め素子９９はＯリングであり、前記本体９に圧迫され、そうすると、実施例１及び実施例２と同様の効果を達成することができる。
【００１９】
このように、本発明が特定の例を参照して説明されたが、それらの例は説明のためだけのものであり、本発明を限定するものではなく、この分野に通常の知識を有する者は本発明の精神および範囲を逸脱することなく、ここで開示された実施例に変更、追加または削除を施してもよいことがわかる。
【図面の簡単な説明】
【００２０】
【図１】本発明の実施例１による容器の構造の組合状態を示す斜視図である。
【図２】本発明の実施例１による容器の構造の分解斜視図である。
【図３】本発明の実施例１による容器の構造の組合状態を示す断面図である。
【図４】本発明の実施例１による容器の構造の底蓋と仕切容器との組合を示す断面図である。
【図５】本発明の実施例１による容器の構造のお茶を入れる状態を示す概略図である。
【図６】本発明の実施例２による容器の構造の組合状態を示す斜視図である。
【図７】本発明の実施例２による容器の構造の分解斜視図である。
【図８】本発明の実施例２による容器の構造の組合状態を示す断面図である。
【図９】本発明の実施例２による容器の構造のお茶を入れる状態を示す概略図である。
【図１０】本発明の実施例３による容器の構造の組合状態を示す斜視図である。
【図１１】本発明の実施例３による容器の構造の分解斜視図である。
【図１２】本発明の実施例３による容器の構造の組合状態を示す断面図である。
【図１３】従来のお茶入れ用容器のお茶を入れる状態を示す断面図である。
【図１４】図１３におけるお茶入れ用容器内の一部のお茶が飲まれた後の茶葉の位置を示す概略図である。
【図１５】従来のお茶入れ用容器の分解斜視図である。
【図１６】従来のお茶入れ用容器の組合状態を示す断面図である。
【符号の説明】
【００２１】
１  本体、２  上蓋、３  底蓋、４  本体、５  底蓋、６  仕切容器、７  容器、９  本体、１１  収容空間、１２  第一開口、１３  第二開口、３１  固定ユニット、３２  突起、３３  仕切容器、３４  接合部、３６  環状突起、３７  水止め素子、４１  収容空間、４２  開口、５１  環状突起、５２  水止め素子、５５  窪み、６１  環状突起、６３  突出部、６４  蓋体、６５  金属網、６６  支持ロッド、７１  本体、７２  収容空間、７３  濾過用コップ、７４  蓋体、８１  第一開口、８２  第二開口、８３  上蓋、８４  下蓋、８５  濾過用コップ、８６  コップ開口、８７  止め部、９１  仕切容器、９２  開口、９３  接合部、９４  底蓋、９５  固定ユニット、９６  外ねじ、９８  開口端、９９  水止め素子、１２１  第一外ねじ段、１３１  第二外ねじ段、３３１  上半部、３３２  下半部、３３３  枢着軸、３３４  上凸部、３３５  下凸部、３３６  ばね、４２１  外ねじ段、６３１  欠け口、９５１  内ねじ、Ａ  茶葉、Ｂ  茶葉、Ｃ  茶葉、Ｄ  茶葉
【図１】
2007112470.tif 000003
【図２】
2007112470.tif 000004
【図３】
2007112470.tif 000005
【図４】
2007112470.tif 000006
【図５】
2007112470.tif 000007
【図６】
2007112470.tif 000008
【図７】
2007112470.tif 000009
【図８】
2007112470.tif 000010
【図９】
2007112470.tif 000011
【図１０】
2007112470.tif 000012
【図１１】
2007112470.tif 000013
【図１２】
2007112470.tif 000014
【図１３】
2007112470.tif 000015
【図１４】
2007112470.tif 000016
【図１５】
2007112470.tif 000017
【図１６】
2007112470.tif 000018